(57)【要約】【課題】印刷済みのプリント用紙を、順次、積み重ねるようにして排紙する際に、排紙中のプリンタ用紙の先端部が、排紙済みのプリンタ用紙に過剰に接触することを防止する。【解決手段】プリンタを、排紙方向Ｒが水平面から斜め上方に傾斜し、印刷済みのプリント用紙Ｐａの裏面に当接する下ガイド部材２１と、下ガイド部材２１に対向配置され、プリント用紙Ｐａの表面に当接可能な上ガイド部材２２と、排紙方向Ｒに沿ったプリント用紙Ｐａの表面に当接する排紙ピンチローラ２３および裏面に当接する給排紙ローラ２４とを備えて構成した。【選択図】図２
2008094590.tif 000002
【特許請求の範囲】
【請求項１】
印刷済みのプリント用紙を、順次、積み重ねるようにして排紙するプリンタであって、
排紙方向が水平面から斜め上方に傾斜し、前記プリント用紙の裏面に当接する下ガイド部材と、
前記下ガイド部材に対向配置され、前記プリント用紙の表面に当接可能な上ガイド部材と、
前記排紙方向に沿った前記プリント用紙の表面に当接する上ローラ部材および裏面に当接する下ローラ部材と
を備えることを特徴とするプリンタ。
【発明の詳細な説明】
【技術分野】
【０００１】
本発明はプリンタに関する。
【背景技術】
【０００２】
従来、例えば印刷済みのプリント用紙を、順次、積み重ねるようにして排紙するプリンタにおいて、排紙中のプリンタ用紙の先端部が、排紙済みのプリンタ用紙に過剰に接触することを防止するために、ペーパーガイドの表面上から突出してプリント用紙の幅方向両端部を鉛直方向上方に押し上げる突起部材を設け、プリント用紙の幅方向両端部を鉛直方向上方に湾曲させ、プリント用紙の排紙方向に対する断面形状が曲線状となるように設定することで、プリント用紙の先端部が垂下することを防止したプリンタが知られている（例えば、特許文献１参照）。
また、従来、例えば排紙方向が水平面から斜め上方に傾斜したペーパーガイドと、このペーパーガイドの上端部に配置された排紙ローラとを備え、プリント用紙をペーパーガイドと排紙ローラとによって両側から挟み込み、斜め上方に向かい排紙するプリンタが知られている（例えば、特許文献２参照）。
【特許文献１】特開平８−１５７１２５号公報
【特許文献２】特開２００５−３１３４１６号公報
【発明の開示】
【発明が解決しようとする課題】
【０００３】
ところで、上記従来技術に係るプリンタにおいて、ペーパーガイドの表面上から突出する突起部材を設ける場合には、プリント用紙の幅寸法に応じた位置に突起部材を設ける必要があり、幅寸法の異なる複数のプリンタ用紙毎に複数の突起部材を設けることでプリンタの構成が複雑化してしまうという問題が生じる。
また、上記従来技術に係るプリンタにおいて、単に、斜め上方に傾斜したペーパーガイドと排紙ローラとによって、いわば１点でプリント用紙を挟み込むだけでは、特にプリント用紙の排紙方向後半部を排紙する際に、プリント用紙の排出方向を斜め上方に維持することが困難となり、例えば排紙中のプリンタ用紙の先端部が排紙済みのプリンタ用紙に過剰に接触して、排紙済みのプリンタ用紙の積載状態を損ねてしまったり、例えば各色のインクの転写毎に排紙方向の前後にプリント用紙の送り出しと引き戻しを繰り返す際に、印刷中のプリンタ用紙の先端部と排紙済みのプリンタ用紙との間の静電気によって、排紙済みのプリンタ用紙をプリンタの内部に引き込んでしまうことを防止することができなくなる虞がある。
これらの問題に対して、例えばプリント用紙の排出位置を相対的に高くして、排紙中のプリンタ用紙の先端部を排紙済みのプリンタ用紙から離間させる方法が知られている。
しかしながら、この場合には、プリンタの大きさが過剰に大きくなってしまうという問題が生じる。
【０００４】
本発明は上記事情に鑑みてなされたもので、印刷済みのプリント用紙を、順次、積み重ねるようにして排紙する際に、排紙中のプリンタ用紙の先端部が、排紙済みのプリンタ用紙に過剰に接近することを防止することが可能なプリンタを提供することを目的とする。
【課題を解決するための手段】
【０００５】
上記課題を解決して係る目的を達成するために、請求項１に記載の発明のプリンタは、印刷済みのプリント用紙を、順次、積み重ねるようにして排紙するプリンタであって、排紙方向が水平面から斜め上方に傾斜し、前記プリント用紙の裏面に当接する下ガイド部材（例えば、実施の形態での下ガイド部材２１）と、前記下ガイド部材に対向配置され、前記プリント用紙の表面に当接可能な上ガイド部材（例えば、実施の形態での上ガイド部材２２）と、前記排紙方向に沿った前記プリント用紙の表面に当接する上ローラ部材（例えば、実施の形態での排紙ピンチローラ２３）および裏面に当接する下ローラ部材（例えば、実施の形態での給排紙ローラ２４）とを備えることを特徴としている。
【０００６】
上記のプリンタによれば、下ガイド部材および上ガイド部材と、下ローラ部材および上ローラ部材とによって、プリント用紙を斜め上方に排紙することにより、プリント用紙の排出方向を適切に斜め上方に維持することができる。
【発明の効果】
【０００７】
本発明によれば、プリント用紙の排出方向を適切に斜め上方に維持することができ、印刷済みのプリント用紙を、順次、積み重ねるようにして排紙する際に、排紙中のプリンタ用紙の先端部が、排紙済みのプリンタ用紙に過剰に接触することを防止することができる。
【発明を実施するための最良の形態】
【０００８】
以下、本発明の実施形態に係るプリンタについて添付図面を参照しながら説明する。
本実施の形態によるプリンタ１０は、例えば図１に示すように、略直方体形状の本体部２を備えている。
本体部２は、例えば、上部を覆う遮蔽カバー３を備え、前面部の央部には、印刷済みのプリント用紙を排紙するための排紙口２ａを備え、前面部の下部には、内部に複数枚のプリント用紙を収容可能な用紙カセット４が着脱可能に装着されている。
そして、排紙口２ａから排紙される印刷済みのプリント用紙は、順次、用紙カセット４の上部に積み重ねられるようになっている。
【０００９】
例えば図２に示すように、本体部２の内部において、用紙カセット４を着脱可能に保持すると共に排紙口２ａに臨む給排紙部２０は、排紙方向Ｒが水平面から斜め上方に所定角度だけ傾斜すると共に印刷済みのプリント用紙Ｐａの裏面に当接する下ガイド部材２１と、下ガイド部材２１に対向配置されると共にプリント用紙Ｐａの表面に当接可能な上ガイド部材２２と、排紙方向Ｒに沿って搬送されるプリント用紙Ｐａの表面に当接する排紙ピンチローラ２３および裏面に当接する給排紙ローラ２４とを備えて構成されている。
【００１０】
下ガイド部材２１は、例えば本体部２の内部に設けられた印刷部（図示略）の用紙送り出し方向に沿ったガイド面２１Ａを備え、給排紙ローラ２４によって用紙カセット４から本体部２の印刷部に取り込まれて適宜の印刷が終了した印刷済みのプリント用紙Ｐａは、印刷部から下ガイド部材２１のガイド面２１Ａ上に送り出されるようになっている。
【００１１】
上ガイド部材２２は、下ガイド部材２１のガイド面２１Ａに対して印刷済みのプリント用紙Ｐａの厚さよりも僅かに大きな所定間隔をおいて対向する対向面２２Ａを備え、印刷部から送り出された印刷済みのプリント用紙Ｐａは、下ガイド部材２１のガイド面２１Ａと上ガイド部材２２の対向面２２Ａとの間に導入され、下ガイド部材２１のガイド面２１Ａ上に沿って搬送される。
【００１２】
給排紙ローラ２４は、プリンタ１０の幅方向に伸びる回転軸周りに回転駆動可能とされ、下ガイド部材２１の排紙方向先端部においてガイド面２１Ａ上から僅かに突出すると共に上ガイド部材２２の対向面２２Ａに対向する外周面２４Ａを備えている。
そして、印刷部から下ガイド部材２１のガイド面２１Ａ上に送り出されて給排紙ローラ２４の外周面２４Ａに当接する印刷済みのプリント用紙Ｐａは、上ガイド部材２２の対向面２２Ａと給排紙ローラ２４の外周面２４Ａとによって厚さ方向の両側から挟み込まれるようにして給排紙ローラ２４の回転によって排紙方向Ｒに搬送されるようになっている。
【００１３】
排紙ピンチローラ２３は、プリンタ１０の幅方向に伸びる回転軸周りに回転可能とされ、例えば排紙方向Ｒに沿って上ガイド部材２２の対向面２２Ａが延びる方向に交差する外周面２３Ａを備え、この外周面２３Ａが給排紙ローラ２４の回転によって排紙方向Ｒに搬送される印刷済みのプリント用紙Ｐａの表面に当接するようになっている。  
【００１４】
上述したように、本実施の形態によるプリンタ１０によれば、印刷済みのプリント用紙Ｐａの排紙方向Ｒが水平面から斜め上方に所定角度だけ傾斜していることから、排紙口２ａから排紙される印刷済みのプリント用紙Ｐａが、順次、用紙カセット４の上部に積み重ねられる場合であっても、排紙中のプリンタ用紙Ｐａの先端部が垂下して排紙済みのプリンタ用紙Ｐｂに過剰に接近することを抑制することができる。
しかも、印刷済みのプリント用紙Ｐａが搬送される下ガイド部材２１のガイド面２１Ａと上ガイド部材２２の対向面２２Ａとの間の間隔は、プリント用紙Ｐａの厚さよりも僅かに大きな所定間隔とされ、排紙中のプリンタ用紙Ｐａは、上ガイド部材２２の対向面２２Ａと給排紙ローラ２４の外周面２４Ａとによって厚さ方向の両側から挟み込まれるようにして搬送される。
【００１５】
このため、印刷済みのプリント用紙Ｐａの先端部が給排紙ローラ２４の外周面２４Ａに当接する搬送開始からプリント用紙Ｐａの後端部が給排紙ローラ２４の外周面２４Ａから離れる搬送終了までの期間に亘って、プリント用紙Ｐａの排紙方向Ｒを下ガイド部材２１のガイド面２１Ａ上に沿った所定の傾斜方向に維持することができる。
つまり、排紙口２ａから排紙されたプリンタ用紙Ｐａの先端部が自重によって垂下する場合であっても、プリンタ用紙Ｐａの後端部が下ガイド部材２１のガイド面２１Ａ上から浮き上がってしまうことを上ガイド部材２２によって防止することができ、排紙中のプリンタ用紙Ｐａの先端部が過剰に垂下して排紙済みのプリンタ用紙Ｐｂに接近あるいは接触することを防止することができる。
【図面の簡単な説明】
【００１６】
【図１】本発明の実施形態に係るプリンタの斜視図である。
【図２】本発明の実施形態に係るプリンタの給排紙部の断面図である。
【符号の説明】
【００１７】
１
１０  プリンタ
２１  下ガイド部材
２２  上ガイド部材
２３  排紙ピンチローラ（上ローラ部材）
２４  給排紙ローラ（下ローラ部材）
【図１】
2008094590.tif 000003
【図２】
2008094590.tif 000004